(57)【要約】【課題】前後方向に並列したスクリーンの昇降操作を容易に行うことを可能とした遮蔽装置を提供する。【解決手段】前後方向に並列した第１スクリーン５ａおよび第２スクリーン５ｂが昇降可能なロールスクリーンにおいて、操作コード１２を操作して第１スクリーン５ａの下端部に配置された第１ウェイトバー６を昇降するスプロケットと、第１ウェイトバー６と第２スクリーン５ｂにおける下端部に配置された第２ウェイトバー７とを連携させ、第１ウェイトバー６の昇降に対して第２ウェイトバー７の昇降を連動させる連動部１６とを備える。さらに、第２ウェイトバー７を昇降する駆動部であって、定荷重を出力する定荷重ユニット１３を備える。【選択図】図５
2020026693.tif 000002
【特許請求の範囲】
【請求項１】
前後方向に並列した第１スクリーンおよび第２スクリーンが昇降可能な遮蔽装置において、
操作コードを操作に従って前記第１スクリーンにおける下端部に配置された第１ウェイトバーを昇降する第１駆動部と、
前記第１ウェイトバーと前記第２スクリーンにおける下端部に配置された第２ウェイトバーとを連携させ、前記第１ウェイトバーの昇降に対して前記第２ウェイトバーの昇降を連動させる連動部とを備える
遮蔽装置。
【請求項２】
さらに、前記第２ウェイトバーを昇降する第２駆動部であって、定荷重を出力する定荷重ユニットを備える
請求項１に記載の遮蔽装置。
【請求項３】
前記第１スクリーンは室内側に位置し、
前記第２スクリーンは室外側に位置している
請求項１または２に記載の遮蔽装置。
【請求項４】
前記第１ウェイトバーが前記第２ウェイトバーに対して先行して昇降する
請求項１ないし請求項３のうち何れか１項に記載の遮蔽装置。
【請求項５】
前記第１スクリーンおよび前記第２スクリーン各々は、昇降方向に交互に並んで透光部および遮光部を備え、
前記第１スクリーンおよび前記第２スクリーンは、前記第１スクリーンの透光部と前記第２スクリーンの前記遮光部とが重なった遮光状態と、前記第１スクリーンおよび前記第２スクリーンの前記透光部同士および前記遮光部同士が重なった透光状態とに切り替わる
請求項１ないし請求項４のうち何れか１項に記載の遮蔽装置。
【請求項６】
前記連動部は、先行して降下する前記第１ウェイトバーに対して前記第２ウェイトバーの降下を連動させる第１連動部材を備え、
前記第１ウェイトバーが前記第２ウェイトバーに対して先行して降下するとき、前記第１スクリーンおよび前記第２スクリーンは、前記遮光状態および前記透光状態のうちの何れか一方の第１状態に切り替わる
請求項５に記載の遮蔽装置。
【請求項７】
前記第１ウェイトバーが前記第２ウェイトバーに対して先行して上昇するとき、前記第１スクリーンおよび前記第２スクリーンは、前記遮光状態および前記透光状態のうちの何れか他方の第２状態に切り替わる
請求項６に記載の遮蔽装置。
【請求項８】
前記連動部は、先行して上昇する前記第１ウェイトバーに対して前記第２ウェイトバーの上昇を連動させる第２連動部材を備え、
前記第１ウェイトバーが前記第２ウェイトバーに対して先行して上昇するとき、前記第１スクリーンおよび前記第２スクリーンは、前記遮光状態および前記透光状態のうちの何れか他方の第２状態に切り替わる
請求項６に記載の遮蔽装置。
【請求項９】
前記連動部は、前記第１ウェイトバーおよび前記第２ウェイトバーのうちの何れか一方のウェイトバーが備える連動片と、他方のウェイトバーが備え、前記連動片が係合する連動口とを備える
請求項１ないし請求項５のうち何れか１項に記載の遮蔽装置。
【発明の詳細な説明】
【技術分野】
【０００１】
本発明は、複数枚のスクリーンを重ね合わせた状態で吊下支持した遮蔽装置に関する。
【背景技術】
【０００２】
遮蔽装置としてのロールスクリーンには、特許文献１のようなものがある。特許文献１のロールスクリーンは、巻取パイプから１枚のスクリーンが垂下されており、巻取パイプにスクリーンを巻き取ってスクリーンの下端部に配置されたウェイトバーを上昇させ、また、ウェイトバーを降下させることでスクリーンが引き出される。そして、巻取パイプの駆動部としては、スプリングモータ、ブレーキ装置などが用いられている。また、ウェイトバーには操作片が設けられている。ユーザは、操作片を摘んで、ウェイトバーを昇降する。このロールスクリーンでは、スプリングモータの駆動力によって、ウェイトバーの昇降が行われることから、操作コードを引いてウェイトバーを昇降するタイプのロールスクリーンに比べて、操作コードが不要となる点で、構成が簡素化され、また、操作性が向上される。
【先行技術文献】
【特許文献】
【０００３】
【特許文献１】特許第５７１１４５０号公報
【発明の概要】
【発明が解決しようとする課題】
【０００４】
ところで、ロールスクリーンには、スクリーンが１枚のものの他に、前後方向に並列した２枚のスクリーンを昇降するものがある。そして、スクリーンが２枚のロールスクリーンにあっても、操作性の向上が望まれている。
【０００５】
また、遮蔽装置としては、その他に、例えばローマンシェード（たくし上げカーテン）やプリーツスクリーンがある。このような遮蔽装置にもスクリーンを前後に２枚並設したものがあり、ロールスクリーンと同様、操作性の向上が望まれている。
【０００６】
本発明は、上記課題を解決するためになされたものであり、その目的は、前後方向に並列したスクリーンの昇降操作を容易に行うことを可能とした遮蔽装置を提供することにある。
【課題を解決するための手段】
【０００７】
上記課題を解決するための遮蔽装置は、前後方向に並列した第１スクリーンおよび第２スクリーンが昇降可能な遮蔽装置において、操作コードを操作に従って前記第１スクリーンにおける下端部に配置された第１ウェイトバーを昇降する第１駆動部と、前記第１ウェイトバーと前記第２スクリーンにおける下端部に配置された第２ウェイトバーとを連携させ、前記第１ウェイトバーの昇降に対して前記第２ウェイトバーの昇降を連動させる連動部とを備える。
【０００８】
上記遮蔽装置において、さらに、前記第２ウェイトバーを昇降する第２駆動部であって、定荷重を出力する定荷重ユニットを備えるようにしてもよい。
上記遮蔽装置において、前記第１スクリーンは室内側に位置し、前記第２スクリーンは室外側に位置しているようにしてもよい。
【０００９】
上記遮蔽装置において、前記第１ウェイトバーが前記第２ウェイトバーに対して先行して昇降するようにしてもよい。
上記遮蔽装置において、前記第１スクリーンおよび前記第２スクリーン各々は、昇降方向に交互に並んで透光部および遮光部を備え、前記第１スクリーンおよび前記第２スクリーンは、前記第１スクリーンの透光部と前記第２スクリーンの前記遮光部とが重なった遮光状態と、前記第１スクリーンおよび前記第２スクリーンの前記透光部同士および前記遮光部同士が重なった透光状態とに切り替わるようにしてもよい。
【００１０】
上記遮蔽装置において、前記連動部は、先行して降下する前記第１ウェイトバーに対して前記第２ウェイトバーの降下を連動させる第１連動部材を備え、前記第１ウェイトバーが前記第２ウェイトバーに対して先行して降下するとき、前記第１スクリーンおよび前記第２スクリーンは、前記遮光状態および前記透光状態のうちの何れか一方の第１状態に切り替わるようにしてもよい。
【００１１】
上記遮蔽装置において、前記第１ウェイトバーが前記第２ウェイトバーに対して先行して上昇するとき、前記第１スクリーンおよび前記第２スクリーンは、前記遮光状態および前記透光状態のうちの何れか他方の第２状態に切り替わるようにしてもよい。
【００１２】
上記遮蔽装置において、前記連動部は、先行して上昇する前記第１ウェイトバーに対して前記第２ウェイトバーの上昇を連動させる第２連動部材を備え、前記第１ウェイトバーが前記第２ウェイトバーに対して先行して上昇するとき、前記第１スクリーンおよび前記第２スクリーンは、前記遮光状態および前記透光状態のうちの何れか他方の第２状態に切り替わるようにしてもよい。
【００１３】
上記遮蔽装置において、前記連動部は、前記第１ウェイトバーおよび前記第２ウェイトバーのうちの何れか一方のウェイトバーが備える連動片と、他方のウェイトバーが備え、前記連動片が係合する連動口とを備えるようにしてもよい。
【発明の効果】
【００１４】
本発明によれば、前後方向に並列したスクリーンの昇降操作を容易に行うことができる。
【図面の簡単な説明】
【００１５】
【図１】本発明が適用された第１実施形態のロールスクリーンの正面図。
【図２】第１実施形態のロールスクリーンの側面図。
【図３】第１実施形態のロールスクリーンの要部断面図。
【図４】前後方向に並列した２枚のスクリーンの透光部と遮光部を示す要部斜視図。
【図５】（ａ）は、スクリーンの遮光状態を示す図であり、第１ウェイトバーおよび第２ウェイトバーが最下位置まで降下した状態を示す図、（ｂ）は、透光状態を示す図であり、（ａ）の状態から第１ウェイトバーのみが上昇し遮光状態から透光状態に切り替わった状態を示す図。
【図６】第２実施形態の連動部の構成を示す図であり、第２連動部材を第１ウェイトバーの下端部に設けた模式図。
【図７】第３実施形態の連動部の構成を示す図であり、連動部材を１つで構成した例であり、（ａ）は、第１ウェイトバーおよび第２ウェイトバーが最下位置まで降下した状態を示す図、（ｂ）は、（ａ）の状態から第１ウェイトバーのみが上昇した状態を示す図。
【図８】第４実施形態の連動部の構成を示す図であり、第２連動部材を第１ウェイトバーの連動口に係合させた模式図。
【図９】第５実施形態の連動部の構成を示す図であり、第１ウェイトバーおよび第２ウェイトバーの各々に連動凹部を設け相対係合させた模式図。
【図１０】第６実施形態の連動部の構成を示す図であり、第２ウェイトバーに上下２枚の第２連動片を設け、第２連動片間に第１ウェイトバーの第１連動片を相対係合させた模式図。
【発明を実施するための形態】
【００１６】
以下、本発明が適用されたロールスクリーンについて図面を参照して説明する。
〔第１実施形態〕
図１および図２に示すように、本実施形態のロールスクリーンは、調光型ロールスクリーンである。ロールスクリーンは、取付ブラケット１を介して窓枠等の取付面に取着されるフレーム２の両端に支持ブラケット３が取着され、その支持ブラケット３に２本の第１巻取パイプ４ａおよび第２巻取パイプ４ｂが回転可能に支持されている。
【００１７】
第１巻取軸としての第１巻取パイプ４ａおよび第２巻取軸としての第２巻取パイプ４ｂは、支持ブラケット３に上下方向に所定の間隔を隔てて支持されるとともに、前後方向に僅かにずれた状態で支持されている。前方で下方に位置する第１巻取パイプ４ａには、第１スクリーン５ａの上縁が取着され、後方で上方に位置する第２巻取パイプ４ｂには、第２スクリーン５ｂの上縁が取着されている。そして、第１スクリーン５ａおよび第２スクリーン５ｂは、第１巻取パイプ４ａおよび第２巻取パイプ４ｂから近接して重ね合わされた状態で垂下されている。一例として、第１スクリーン５ａおよび第１巻取パイプ４ａは室内側に位置し、第２スクリーン５ｂおよび第２巻取パイプ４ｂは室外側に位置する。第１スクリーン５ａの下縁は、第１ウェイトバー６に取着され、第２スクリーン５ｂの下縁は、第２ウェイトバー７に取着されている。
【００１８】
図３に示すように、第１巻取パイプ４ａは、一方の支持ブラケット３にスプロケット１１と、操作コードとしての操作チェーン１２とを備えている。第１駆動部としてのスプロケット１１には、第１巻取パイプ４ａを回転する操作チェーン１２が係合されている。操作チェーン１２は、一方の支持ブラケット３より垂下されており、操作チェーン１２を構成する２本のチェーンが垂下されている。操作チェーン１２は、２本のチェーンのうちの何れか一方のチェーンを引き下げる操作を行うことで、第１巻取パイプ４ａを第１スクリーン５ａの引き出し方向に回転させることができ、他方のチェーンを引き下げる操作を行うことで、第１スクリーン５ａの巻取方向に回転させることができる。これにより、第１ウェイトバー６が昇降される。
【００１９】
第２巻取パイプ４ｂには、第２駆動部としての定荷重ユニット１３（図１参照）から定荷重が出力され、第２ウェイトバー７の昇降が補助される。詳細は後述するが、第１ウェイトバー６と第２ウェイトバー７とは、連動部１６（図２参照）によって連携されており、第２ウェイトバー７の昇降は、第１ウェイトバー６の昇降と連動している。すなわち、第１ウェイトバー６が第２ウェイトバー７に対して先行して降下しているとき、第２ウェイトバー７は、第１ウェイトバー６の降下に引っ張られて降下する。また、第１ウェイトバー６が第２ウェイトバー７に対して最下位置から先行して上昇するとき、第２ウェイトバー７は、第１ウェイトバー６に持ち上げられるようにして上昇する。
【００２０】
定荷重ユニット１３は、第１ウェイトバー６および第２ウェイトバー７を上昇させるとき、第１ウェイトバー６によって第２ウェイトバー７が持ち上げられると、第２巻取パイプ４ｂに対して荷重による回転トルクが一旦低下する。これによって、定荷重ユニット１３による回転トルクが相対的に強まった状態で、第２スクリーン５ｂが巻き取られる。そして、第１ウェイトバー６から操作力が除かれると、第２巻取パイプ４ｂでの回転トルクが再び釣り合って、第２ウェイトバー７の上昇が止まる。すなわち、第２ウェイトバー７は、操作チェーン１２による第１ウェイトバー６の昇降操作に連動して昇降し、操作が終了した状態で静止する。
【００２１】
図４に示すように、第１スクリーン５ａおよび第２スクリーン５ｂの各々は、光を透過する透光部８と、光を遮光する遮光部９が等間隔で上下方向に並設されている。第１スクリーン５ａおよび第２スクリーン５ｂは、例えば、樹脂が含浸加工された織物、編物、不織布などの生地組織である。生地組織は、柔らかい生地に対して樹脂が含浸加工されることによって、繊維が解れにくくなり、また、皺になりにくくなるので、生地の伸縮を抑制することができ、これにより、平面性または平坦性に優れ、形状安定性に優れた生地とすることができる。また、生地組織は、防炎剤を織り込むことで、防炎性能を付加することも可能である。生地組織は、無地であってもよいし、柄が付いていてもよい。また、生地組織は、刺しゅう付きの生地などであってもよい。
【００２２】
透光部８は、例えばレース部であって、遮光部９は、例えばドレープ部である。第１スクリーン５ａおよび第２スクリーン５ｂは、透光部８が重なる透光状態ではその透光部８から外光を採り入れ可能であり(図５(ｂ)参照)、第１スクリーン５ａおよび第２スクリーン５ｂの透光部８と遮光部９が重なる状態では、外光を遮断された遮光状態となる(図５(ａ)参照)。遮光部９は、上下方向における幅が同方向における透光部８の幅より広く形成されている。これにより、遮光部９は、遮光状態において、確実に透光部８を塞げるようにしている。
【００２３】
図５（ａ）および(ｂ)に示すように、第１ウェイトバー６と第２ウェイトバー７とは連動部１６によって連携されている。連動部１６は、第１ウェイトバー６が第２ウェイトバー７に対して先行して降下するときに、第１ウェイトバー６で第２ウェイトバー７を下方に引っ張る第１連動部材１７を備える。さらに、連動部１６は、第１ウェイトバー６が第２ウェイトバー７に対して先行して上昇するときに、第１ウェイトバー６で第２ウェイトバー７を上方に持ち上げる第２連動部材１８を備える。
【００２４】
第１連動部材１７は、可撓性部材であり、例えば紐状部材である。第１連動部材１７は、一端部が第１ウェイトバー６に固定され、他端部が第２ウェイトバー７に固定されている。一例として、第１連動部材１７の一端部は、第１ウェイトバー６の底面部に固定され、他端部は、第２ウェイトバー７の底面部に固定されている。第１ウェイトバー６および第２ウェイトバー７に対する第１連動部材１７の固定方法は、各ウェイトバー６，７の底面部に貫通孔を形成し、貫通孔に第１連動部材１７の各端部を挿通し抜け止め部材で固定するようにしてもよい。また、各ウェイトバー６，７の底面部に第１連動部材１７の各端部を接着剤などの固定手段で固定するようにしてもよい。さらに、各ウェイトバー６，７の底面部に設けられたリング部材に対して第１連動部材１７の各端部を固定するようにしてもよい。さらに、各ウェイトバー６，７の底面部に第１連動部材１７の各端部が固定されるホルダを取り付けるようにしてもよい。さらに、第１連動部材１７の各端部が各ウェイトバー６，７の長手方向における両端部に取り付けられたキャップに固定されるようにしてもよい。
【００２５】
第１連動部材１７の長さは、第１ウェイトバー６が第２ウェイトバー７を下方に引っ張っているとき（第１連動部材１７に張力が加わった緊張状態のとき）、第１スクリーン５ａおよび第２スクリーン５ｂの透光部８と遮光部９が重なる遮光状態となる長さに設定されている。第１ウェイトバー６が最下位置にまで降下したとき、第１連動部材１７は、緊張状態にあり、第１ウェイトバー６は、最下位置まで降下した第２ウェイトバー７よりも下方に位置する。
【００２６】
第２連動部材１８は、第１ウェイトバー６の上部において第２ウェイトバー７の方向に突出した突片であって、第２ウェイトバー７の底面部に係合する長さを有している。第２連動部材１８は、第１ウェイトバー６が第２ウェイトバー７に対して先行して上昇するときに、第１ウェイトバー６で第２ウェイトバー７を上方に持ち上げる。第１ウェイトバー６の長手方向における両端部にキャップが取り付けられている場合、第２連動部材１８は、第１ウェイトバー６のキャップに設けるようにしてもよい。キャップは、例えば樹脂成形体であり、第２連動部材１８を一体的に成形することが容易だからである。
【００２７】
ところで、第１ウェイトバー６が最下位置にあり、第２ウェイトバー７も最下位置にあるとき、第１連動部材１７は、緊張状態にあり、第２連動部材１８は、第２ウェイトバー７の底面部に対して離間している(図５（ａ）参照)。この状態において、第１スクリーン５ａおよび第２スクリーン５ｂは、遮光状態となっている。最下位置にある第１ウェイトバー６を上昇させるとき、第２連動部材１８が第２ウェイトバー７の底面部に係合するまでは、第２ウェイトバー７は上昇せず、第１ウェイトバー６のみが上昇する。すると、第１スクリーン５ａおよび第２スクリーン５ｂは、遮光状態から第１スクリーン５ａおよび第２スクリーン５ｂの透光部８同士が重なる透光状態に切り替わる。すなわち、最下位置にある第１ウェイトバー６の第２連動部材１８と最下位置にある第２ウェイトバー７の底面部との間隔は、第１スクリーン５ａおよび第２スクリーン５ｂとを遮光状態から透光状態に遷移させることが可能な間隔である。そして、第１連動部材１７は、緊張状態となることで、この間隔がこれより長くならないようにする。
【００２８】
次に、上記のように構成されたロールスクリーンの動作を説明する。
第１ウェイトバー６および第２ウェイトバー７を最上位置から降下させる場合、２本のチェーンのうちの何れか一方のチェーンを図５（ａ）中矢印Ａ１方向に引き下げる操作を行う。すると、先ず、第１ウェイトバー６が矢印Ａ２方向に降下し始める。第１ウェイトバー６および第２ウェイトバー７が共に最上位置にあるとき、第１連動部材１７は、弛んだ状態にある。したがって、第１連動部材１７が弛んだ状態から緊張状態になるまでは、第１ウェイトバー６のみが降下する。第１連動部材１７が緊張状態になると、降下し続ける第１ウェイトバー６は、第１連動部材１７を通じて第２ウェイトバー７を下方に向かって引っ張り、これにより、第２ウェイトバー７も矢印Ａ３方向に降下を開始する。第１ウェイトバー６および第２ウェイトバー７が最下位置まで降下する間、第１スクリーン５ａおよび第２スクリーン５ｂは、第１状態としての遮光状態である。
【００２９】
最下位置において、第１スクリーン５ａおよび第２スクリーン５ｂを第１状態の遮光状態から第２状態の透光状態に切り替える場合、２本のチェーンのうちの何れか他方のチェーンを図５（ｂ）中矢印Ｂ１方向に引き下げる操作を僅かに行い、第２連動部材１８が第２ウェイトバー７の底面部に当接するまで第１ウェイトバー６を矢印Ｂ２方向に上昇させる。これにより、第１スクリーン５ａおよび第２スクリーン５ｂは、遮光状態から透光状態となる。そして、このときの第１ウェイトバー６の上昇量を調整することで、透光部８の重なりの程度が変わり透光量を変更することができる。
【００３０】
さらに、第１ウェイトバー６および第２ウェイトバー７を最上位置まで上昇させる場合、他方のチェーンを矢印Ｂ１方向に引き下げる操作をさらに行う。これにより、第１ウェイトバー６は、矢印Ｂ２方向に移動し最上位置まで上昇する。これに伴い、第２ウェイトバー７は、第１ウェイトバー６の第２連動部材１８により矢印Ｂ３方向に持ち上げられる。この際、第２巻取パイプ４ｂは、定荷重ユニット１３からの出力される定荷重も相俟って第２スクリーン５ｂを巻き取る。第１ウェイトバー６および第２ウェイトバー７を上昇させているときは、２枚分のスクリーン５ａ，５ｂおよびウェイトバー６，７を持ち上げる操作力が必要となるが、第２スクリーン５ｂおよび第２ウェイトバー７の分は、定荷重ユニット１３から出力される定荷重によって補助される。なお、第１ウェイトバー６および第２ウェイトバー７を最上位置まで上昇させている最中は、第１連動部材１７が弛んだ状態となっている。
【００３１】
第１ウェイトバー６および第２ウェイトバー７の上昇を途中で止めたときは、第１ウェイトバー６は、その位置で止まり、第２ウェイトバー７も定荷重によって釣り合いが取れて止まる。したがって、第１ウェイトバー６の第２連動部材１８が第２ウェイトバー７の底面部に当接した状態が維持され、透光状態が維持される。このとき、第１連動部材１７は、弛んだ状態にある（図５（ｂ）の状態）。そして、当該位置（最下位置と最上位置との間の中間位置）から再度第１ウェイトバー６および第２ウェイトバー７を降下させる操作を行うと、先ず、第１ウェイトバー６のみが降下し、第１連動部材１７が弛んだ状態から緊張状態となって、透光状態から遮光状態となる。その後、降下し続ける第１ウェイトバー６は、第１連動部材１７を通じて第２ウェイトバー７を下方に向かって引っ張り、遮光状態で第２ウェイトバー７を降下させる（図５（ａ）の状態）。
【００３２】
また、第１ウェイトバー６および第２ウェイトバー７の降下を途中で止めたときは、第１ウェイトバー６は、その位置で止まり、第２ウェイトバー７も定荷重によって釣り合いが取れて止まる。したがって、第１ウェイトバー６の第２連動部材１８が第２ウェイトバー７の底面部と離間した状態が維持され、遮光状態が維持される。このとき、第１連動部材１７は、緊張状態にある（図５（ａ）の状態）。そして、当該位置（最下位置と最上位置との間の中間位置）から第１ウェイトバー６および第２ウェイトバー７を上昇させる操作を行うと、先ず、第２連動部材１８が第２ウェイトバー７の底面部に当接するまで第１ウェイトバー６が上昇する。これにより、第１スクリーン５ａおよび第２スクリーン５ｂは、遮光状態から透光状態となる。さらに、第１ウェイトバー６および第２ウェイトバー７を最上位置まで上昇させる操作を行うと、透光状態のまま第１ウェイトバー６は、最上位置まで上昇する。これに伴い、第２ウェイトバー７は、第１ウェイトバー６の第２連動部材１８により持ち上げられる（図５（ｂ）の状態）。
【００３３】
以上のようなロールスクリーンは、以下に列挙する効果を得ることができる。
（１）操作チェーン１２を操作して第１ウェイトバー６を昇降操作するだけで、第２ウェイトバー７を昇降することができるので、操作性を向上させることができる。
【００３４】
（２）第２巻取パイプ４ｂに定荷重ユニット１３から定荷重が出力されることで、第１ウェイトバー６とともに第２ウェイトバー７を上昇させるときの操作力を小さくすることができる。
【００３５】
（３）室内側に位置する第１スクリーン５ａの巻き取りと引き出しを、部屋内側に位置する第１巻取パイプ４ａの回転を操作する操作チェーン１２で操作することができる。
（４）操作チェーン１２を操作するだけで、第１スクリーン５ａおよび第２スクリーン５ｂを遮光状態から透光状態に切り替えることができる。
【００３６】
（５）紐状部材の第１連動部材１７によって第１ウェイトバー６および第２ウェイトバー７を連携させることで、第１ウェイトバー６の降下に合わせて、第２ウェイトバー７を降下することができる。
【００３７】
（６）第２連動部材１８を設け、第２連動部材１８で第２ウェイトバー７を持ち上げるようにしたことで、操作チェーン１２による第１ウェイトバー６の上昇に合わせて、第２ウェイトバー７を上昇することができる。
【００３８】
〔第２実施形態〕
第２実施形態は第１ウェイトバー６および第２ウェイトバー７を連動させる連動部１６の変形例である。図６に示すように、第２連動部材１８が第１ウェイトバー６の上端部に設けられているのではなく、下端部に設けられている。また、第１ウェイトバー６および第２ウェイトバー７を繋ぐ第１連動部材１７は、各端部が第２連動部材１８となるべく干渉しない位置に固定されている。すなわち、第１連動部材１７の第１ウェイトバー６側の端部は、第２ウェイトバー７に近い側の面であって、第２連動部材１８の付け根の上側に固定されている。第２連動部材１８の第２ウェイトバー７側の端部は、第２ウェイトバー７の第１ウェイトバー６とは反対側の面に固定されている。
【００３９】
このような連動部１６を使用した場合、第１スクリーン５ａおよび第２スクリーン５ｂが透光状態にあるとき、第１ウェイトバー６および第２ウェイトバー７の位置を、第２連動部材１８の厚さ分ずれることにはなるが、ほぼ揃えることができる（図６の点線の状態参照）。第１ウェイトバー６の下端部より延出した第２連動部材１８が第２ウェイトバー７の底面部に対して係合することになるからである。したがって、第１ウェイトバー６および第２ウェイトバー７を上昇させるときの見栄えを向上させることができる。
【００４０】
〔第３実施形態〕
連動部１６の構成において、第２連動部材１８を省略する構成としてもよい。図７（ａ）および（ｂ）に示すように、ここでは、第１実施形態における第１連動部材１７を備えているだけである。第１連動部材１７は、紐状部材といった可撓性部材であり、一端部が第１ウェイトバー６の底面部に固定され、他端部が第２ウェイトバー７の底面部に固定されている。
【００４１】
第３実施形態において、第１ウェイトバー６および第２ウェイトバー７が降下するときは、第１実施形態と同じであり、第１連動部材１７が緊張状態になると、降下し続ける第１ウェイトバー６は、第１連動部材１７を通じて第２ウェイトバー７を下方に向かって引っ張り、これにより、第２ウェイトバー７を降下させる（図７（ａ）参照）。第１ウェイトバー６および第２ウェイトバー７が最下位置まで降下する間、第１スクリーン５ａおよび第２スクリーン５ｂは、例えば遮光状態である。
【００４２】
最下位置において、第１スクリーン５ａおよび第２スクリーン５ｂを第１状態の遮光状態から第２状態の透光状態に切り替える場合、第１ウェイトバー６が第２ウェイトバー７より高い位置となり、第１連動部材１７が緊張状態となるまで第１ウェイトバー６を上昇させる。これにより、第１スクリーン５ａおよび第２スクリーン５ｂは、遮光状態から透光状態となる（図７（ｂ）参照）。そして、このときの第１ウェイトバー６の上昇量を調整することで、透光部８の重なりの程度が変わり透光量を変更することができる。
【００４３】
さらに、第１ウェイトバー６および第２ウェイトバー７を最上位置まで上昇させる場合、第１ウェイトバー６は、最上位置まで上昇する。これに伴い、第２ウェイトバー７は、上昇する第１ウェイトバー６によって第１連動部材１７を通じて引っ張られる。この際、第２巻取パイプ４ｂは、定荷重ユニット１３からの出力される定荷重も相俟って第２スクリーン５ｂを巻き取る。第１ウェイトバー６および第２ウェイトバー７を上昇させているときは、２枚分のスクリーン５ａ，５ｂおよびウェイトバー６，７を持ち上げる操作力が必要となるが、第２スクリーン５ｂおよび第２ウェイトバー７の分は、定荷重ユニット１３から出力される定荷重によって補助される。
【００４４】
以上のような第３実施形態によれば、第１実施形態および第２実施形態と異なり第２連動部材１８が不要となることから、その分、部品点数を削減することができ、構成の簡素化を図ることができる。
【００４５】
〔第４実施形態〕
第４実施形態は第１ウェイトバー６および第２ウェイトバー７を連動させる連動部１６の変形例である。図８に示すように、第１ウェイトバー６は、第２ウェイトバー７方向に突出した連動部材として機能する連動片２１を備えている。一方、第２ウェイトバー７は、連動片２１が係合する連動口２２を備えている。連動片２１は、長いほど、スクリーン５ａ，５ｂが揺れた場合にも連動口２２から外れにくくなる。
【００４６】
このような構成を備えている連動部では、第１ウェイトバー６および第２ウェイトバー７を最上位置から降下させる場合、第１ウェイトバー６の連動片２１が第２ウェイトバー７の連動口２２の下部２２ａに当接し、第１ウェイトバー６が第２ウェイトバー７を押し下げる。最下位置において、第１スクリーン５ａおよび第２スクリーン５ｂを遮光状態から透光状態に切り替える場合、連動片２１が連動口２２の下部２２ａから上部２２ｂにまで移動する間に遮光状態から透光状態に切り替わる。そして、第１ウェイトバー６と第２ウェイトバー７を最上位置まで上昇させる場合、連動片２１が連動口２２の上部２２ｂを持ち上げる。これにより、第１ウェイトバー６は、最上位置まで上昇し、これに伴い、第２ウェイトバー７も、第１ウェイトバー６の連動片２１により持ち上げられる。第４実施形態によれば、第１実施形態から第３実施形態のように紐状部材である第１連動部材が不要となり、部品点数を削減することができる。
【００４７】
なお、第４実施形態のロールスクリーンは、さらに、例えば以下のように適宜変更して実施することもできる。
・上述の例とは逆に、第２ウェイトバー７に連動片２１を設けて、第１ウェイトバー６に連動口２２を設けるようにしても、第４実施形態と同様な作用効果を得ることができる。
【００４８】
〔第５実施形態〕
図９に示すように、第５実施形態の連動部は、第１ウェイトバー６に第２ウェイトバー７の方向を開口とした第１連動凹部２６を備え、第２ウェイトバー７に第１ウェイトバー６の方向を開口とした第２連動凹部２７を備えている。すなわち、第１連動凹部２６と第２連動凹部２７とは開口同士が向き合い、相対係合している。この例では、第１連動凹部２６の上辺２６ａおよび下辺２６ｂならびに第２連動凹部２７の上辺２７ａおよび下辺２７ｂが上述の連動部材のように機能する。
【００４９】
このような構成を備えている連動部では、第１ウェイトバー６および第２ウェイトバー７を最上位置から降下させる場合、第１ウェイトバー６の第１連動凹部２６を構成する上辺２６ａが第２ウェイトバー７の第２連動凹部２７を構成する下辺２７ｂに当接し、第１ウェイトバー６が第２ウェイトバー７を押し下げる。最下位置において、第１スクリーン５ａおよび第２スクリーン５ｂを遮光状態から透光状態に切り替える場合、第１連動凹部２６を構成する上辺２６ａが第２連動凹部２７を構成する上辺２７ａに当接まで移動する間に遮光状態から透光状態に切り替わる。そして、第１ウェイトバー６と第２ウェイトバー７を最上位置まで上昇させる場合、第１連動凹部２６を構成する上辺２６ａが第２連動凹部２７を構成する上辺２７ａを持ち上げる。これにより、第１ウェイトバー６は、最上位置まで上昇し、これに伴い、第２ウェイトバー７も、上辺２６ａにより持ち上げられる。第５実施形態によれば、第１実施形態から第３実施形態のように紐状部材である第１連動部材が不要となり、部品点数を削減することができる。
【００５０】
なお、第１ウェイトバー６が第２ウェイトバー７を持ち上げる場合は、第１連動凹部２６を構成する下辺２６ｂが第２連動凹部２７を構成する下辺２７ｂを持ち上げるようにしてもよい。
【００５１】
〔第６実施形態〕
図１０に示すように、第６実施形態の連動部は、第１ウェイトバー６が第２ウェイトバー７の方向に突出した連動部材として機能する第１連動片３１を備えている。一方、第２ウェイトバー７は、第１連動片３１が選択的に係合する第２上連動片３２ａおよび第２下連動片３２ｂを備えている。第１連動片３１と第２上連動片３２ａおよび第２下連動片３２ｂは、長く形成されて、重なっている部分が多いほど、スクリーン５ａ，５ｂが揺れた場合にも連動口２２から外れにくくなる。
【００５２】
このような構成を備えている連動部では、第１ウェイトバー６および第２ウェイトバー７を最上位置から降下させる場合、第１ウェイトバー６の第１連動片３１が第２ウェイトバー７の第２下連動片３２ｂに当接し、第１ウェイトバー６が第２ウェイトバー７を押し下げる。最下位置において、第１スクリーン５ａおよび第２スクリーン５ｂを遮光状態から透光状態に切り替える場合、第１連動片３１が第２下連動片３２ｂから第２上連動片３２ａにまで移動する間に遮光状態から透光状態に切り替わる。そして、第１ウェイトバー６と第２ウェイトバー７を最上位置まで上昇させる場合、第１連動片３１が第２上連動片３２ａを持ち上げる。これにより、第１ウェイトバー６は、最上位置まで上昇し、これに伴い、第２ウェイトバー７も、第１ウェイトバー６の第１連動片３１により持ち上げられる。第６実施形態によれば、第１実施形態から第３実施形態のように紐状部材である第１連動部材が不要となり、部品点数を削減することができる。
【００５３】
なお、第１実施形態〜第６実施形態のロールスクリーンは、さらに、例えば以下のように適宜変更して実施することもできる。
・連動部は、第１ウェイトバー６の昇降に連動して第２ウェイトバー７が連動する構成であれば第１実施形態から第６実施形態の構成に限定されるものではない。
【００５４】
・第１スクリーン５ａが室外側に位置し、第２スクリーン５ｂが室内側に位置してもよい。
・第１ウェイトバー６が第２ウェイトバー７に対して先行して降下しているとき、第１スクリーン５ａおよび第２スクリーン５ｂは、遮光状態ではなく透光状態となっていてもよい。この場合において、第１ウェイトバー６が第２ウェイトバー７に対して先行して上昇させたとき、第１スクリーン５ａおよび第２スクリーン５ｂは、透光状態から遮光状態に遷移し、遮光状態で上昇することになる。
【００５５】
・第２巻取パイプ４ｂは、定荷重ユニットの代わりにスプリングモータ、ブレーキ装置などを備えた第２駆動部によって回転されてもよい。
・第１スクリーン５ａおよび第２スクリーン５ｂには、生地組織のシートではなく、生地でない（織物でない）合成樹脂シートであってもよい。この場合、透光部８も遮光部９も印刷により形成されることになる。例えば、遮光部９は、明度の低い色のインクを使用してベタ印刷することによって構成することができる。また、透光部８は、透光度が高くなるように薄く印刷すればよい。
【００５６】
・第１スクリーン５ａおよび第２スクリーン５ｂは、透光部８および遮光部９を備えていなくてもよい。
・第１巻取軸としての第１巻取パイプ４ａおよび第２巻取軸としての第２巻取パイプ４ｂは、支持ブラケット３に上下方向にずれていなくてもよい。すなわち、第１巻取パイプ４ａおよび第２巻取パイプ４ｂは、同じ高さに設けるようにしてもよい。この場合、例えば、第１スクリーン５ａおよび第２スクリーン５ｂの昇降方向の長さを、ここでは、第１スクリーン５ａが第２スクリーン５ｂより長くなるようにする。このような構成とすることで、最下位置において、第１ウェイトバー６は、第２ウェイトバー７よりも下側に位置することとなり、図５における第１ウェイトバー６および第２ウェイトバー７の位置関係と同じにすることができる。これにより、第１実施形態から第３実施形態と同様に、操作チェーン１２を操作して第１ウェイトバー６を昇降操作するだけで、連動部１６を通じて第２ウェイトバー７を昇降することができる。また、最下位置において、第１ウェイトバー６および第２ウェイトバー７は、同じ高さに位置していてもよい。
【００５７】
・１枚のスクリーンを備えたロールスクリーンを前後に２台並設し、各ロールスクリーンのウェイトバーを上述したような連動部１６で連動させて、昇降させる構成としてもよい。
【００５８】
・遮蔽装置としては、上述のロールスクリーンの他にも、ローマンシェード（たくし上げカーテン）において、スクリーンを前後に２枚並設したものや、スクリーンとしてのプリーツ生地を前後に２枚並設したプリーツスクリーンにも適用可能である。ローマンシェードやプリーツスクリーンの場合、各スクリーンの巻取軸には、各スクリーンの下端部に配置されたボトムレールやウェイトバーと連携された昇降部材（昇降コードや昇降テープなど）が各巻取軸に巻き取られることになる。
【符号の説明】
【００５９】
１…取付ブラケット、２…フレーム、３…支持ブラケット、４ａ…第１巻取パイプ、４ｂ…第２巻取パイプ、５ａ…第１スクリーン、５ｂ…第２スクリーン、６…第１ウェイトバー、７…第２ウェイトバー、８…透光部、９…遮光部、１１…スプロケット、１２…操作チェーン、１３…定荷重ユニット、１６…連動部、１７…第１連動部材、１８…第２連動部材、２１…連動片、２２…連動口、２２ａ…下部、２２ｂ…上部、２６…第１連動凹部、２６ａ…上辺、２６ｂ…下辺、２７…第２連動凹部、２７ａ…上辺、２７ｂ…下辺、３１…第１連動片、３２ａ…第２上連動片、３２ｂ…第２下連動片。
【図１】
2020026693.tif 000003
【図２】
2020026693.tif 000004
【図３】
2020026693.tif 000005
【図４】
2020026693.tif 000006
【図５】
2020026693.tif 000007
【図６】
2020026693.tif 000008
【図７】
2020026693.tif 000009
【図８】
2020026693.tif 000010
【図９】
2020026693.tif 000011
【図１０】
2020026693.tif 000012